(57)【要約】      （修正有）【課題】シート状物や薄板状物の薄物物品類の差立て具であって、シート状物や薄板状物の薄物物品類の差立て物を抜き差し自在に且つ倒れ込みを生ずることなく差立てができる薄物物品類の差立て具を提供する。【解決手段】変形可能な弾発力のある薄板材を丸めて断面が略円形または略楕円形の筒状の輪１を形成し、該筒状の輪１の胴体を台座２の面上に少なくても１以上取付けして成る差立て部材１２を構成し、該差立て部材１２を隣合わせに連結する連結手段３ｂ等を前記台座２に設け、該連結手段３ｂ等を介して前記差立て部材１２の間隔を連結方向に自在に調整し、これと共に、連結した前記差立て部材１２同士の対面部ｓａ２、ｓａ３等において、前記差立て部材１２の筒状の輪１の膨らみ幅を差立て物の押圧により自在に調整し、シート状物や薄板状物の薄物物品類の差立て物を抜き差し自在に且つ倒れ込みを生ずることなく差立てができるようにする。【選択図】図２
0003156945.tif 000002
【実用新案登録請求の範囲】
【請求項１】
シート状物や薄板状物の薄物物品類の差立て具であって、
変形可能な弾発力のある薄板材を丸めて断面が略円形または略楕円形の筒状の輪（１）を形成し、
該筒状の輪（１）の胴体を台座（２）の面上に少なくても１以上取付けして成る差立て部材（１２）を構成し、
シート状物や薄板状物の薄物物品類の差立て物を抜き差し自在に且つ倒れ込みを生ずることなく差立てができることを特徴とする薄物物品類の差立て具。
【請求項２】
シート状物や薄板状物の薄物物品類の差立て具であって、
変形可能な弾発力のある薄板材を丸めて断面が略円形または略楕円形の筒状の輪（１）を形成し、
該筒状の輪（１）の胴体を台座（２）の面上に少なくても１以上取付けして成る差立て部材（１２）を構成し、
該差立て部材（１２）を隣合わせに連結する連結手段（３）を前記台座（２）に設け、
該連結手段（３）を介して前記差立て部材（１２）の間隔を連結方向に自在に調整し、
これと共に、連結した前記差立て部材（１２）同士の対面部（ｓａ）において、前記差立て部材（１２）の筒状の輪（１）の膨らみ幅を差立て物の押圧により自在に調整し、
シート状物や薄板状物の薄物物品類の差立て物を抜き差し自在に且つ倒れ込みを生ずることなく差立てができることを特徴とする薄物物品類の差立て具。
【請求項３】
シート状物や薄板状物の薄物物品類の差立て具であって、
変形可能な弾発力のある薄板材を丸めて断面が略円形または略楕円形の筒状の輪（１）を形成し、
該筒状の輪（１）の胴体を台座（２）の面上に少なくても１以上取付けして成る差立て部材（１２）を構成し、
該差立て部材（１２）を隣合わせに連設する横並び連設手段（３０）を前記台座（２）に設け、
該横並び連設手段（３０）を介して前記差立て部材（１２）の間隔を横並び連設方向に自在に調整し、
これと共に、連結した前記差立て部材（１２）同士の対面部（ｓａ）において、前記差立て部材（１２）の筒状の輪（１）の膨らみ幅を差立て物の押圧により自在に調整し、
シート状物や薄板状物の薄物物品類の差立て物を抜き差し自在に且つ倒れ込みを生ずることなく差立てができることを特徴とする薄物物品類の差立て具。
【請求項４】
請求項２の薄物物品類の差立て具において、
前記連結手段（３）が、台座の板厚内に収まる木製または樹脂製または金属製等の連結ピン（３ｂ）と、該連結みピン（３ｂ）と嵌合する嵌め合い孔（３ａ）を台座（２）の正面端面寄りおよび後面端面寄りの板厚中心部に設け、
前記連結ピン（３ｂ）が前記台座（２）から連結方向に出入可能に設け、
前記連結ピン（３ｂ）の前記嵌め合い孔（３ａ）への嵌入程度を調整可能とし、
前記連結ピン（３ｂ）と嵌合する前記嵌め合い孔（３ａ）との両者の接触摩擦力により、ずれを生じないように且つ連結配設の間隔調整および位置の保持ができるものとしたことを特徴とする薄物物品類の差立て具。
【請求項５】
請求項３の薄物物品類の差立て具において、
前記横並び配設手段（３０）が、前記台座の下面部の正面端面寄りおよび後面端面寄りの縁部に沿って細長状態で、磁石または粘着両面テープまたは吸盤等の横ずれ押さえ材（３０ａ）を設け、
前記横ずれ押さえ材（３０ａ）の着脱可能な固着保持力により、ずれを生じないように且つ横並び配設の間隔調整および位置の保持ができるものとしたことを特徴とする薄物物品類の差立て具。
【請求項６】
請求項１乃至５の薄物物品類の差立て具において、
前記筒状の輪（１）の胴体を細長の一箇所支持で台座（２）に取付けるための取付け手段が、前記台座（２）の略中心部に一条の切込み部（２ａ）を所定の幅と長さで設け、
該切込み部（２ａ）に前記筒状の輪（１）の内周面端部同士を合掌した状態で合わせて圧入嵌め込みすることによって、
前記筒状の輪（１）の内周面同士が尖った楔状断面にまで凹み変形した際に、前記台座（２）の面上の差込みスペースを最大限大きく確保し、該台座（２）の面上目一杯の差込み可能とすることができることを特徴とする薄物物品類の差立て具。
【考案の詳細な説明】
【技術分野】
【０００１】
本考案は、変形可能な弾発力のある筒状の輪と台座とで構成する差立て部材を横ずれしないように横つなぎ連結し、種々の場所でシート状物や薄板状物等の薄物物品類の差立て物を抜き差し自在に且つ倒れ込みを生ずることなく差立てができる薄物物品類の差立て具に関する。
【背景技術】
【０００２】
従来の本立てや書棚やファイリングキャビネットなどにおいては、、文書類やファイル類などのシート状物の物品類を差立てした際に、差立てするシート状物等の厚さに対応して仕切りの間隔をいちいち調整しなければならないことなどの面倒な問題があった。
そして、差立て物が少ない差し立ての場合には、仕切り材間でファイル等の差立て物の倒れ込みや重なり合いが生じるために、ファイルの抜き取りや差込みが容易にできない問題があった。
また、仕切り材の数や仕切り材間の位置調整をしないとファイルの分類差立てなどが容易にできない問題があった。
【０００３】
そのため、これらの問題に対して、例えば、特許文献（１）に記載された「本立ての自在仕切り」の提案がなされているが、しかし、この提案においては、差立てするシート状物の厚さに対応してレールに添ってスライドする仕切りの間隔をいちいち手で動かして間隔調整をしなければならないので、その間隔調整が面倒であるなどの問題があるものになっている。
【０００４】
これに対して、例えば、特許文献（２）に記載された「文書保持器」の提案などがなされているが、しかし、この提案においては、挟着板と挟着基体とが固定され一体化されたものになっている。
そのため、挟着板と挟着基体との密着した状態の隙間においては、例えば多数枚の文書類や、多数冊分のファイル類などのシート状物の物品類を分類差立てするための差込みスペースが設けられていないので、これらのシート状物の物品類を分類差立てすることができないことなどの問題があるものになっている。
【０００５】
【特許文献１】実用新案登録第３０７５０４６号
【特許文献２】特開平８−１５６４７５
【考案の開示】
【考案が解決しようとする課題】
【０００６】
そこで、上述の問題を解決するために本考案においては、特許文献（１）に記載されたような問題を解消するために、図１から図１５に示すように、本考案の薄物物品類の差立て具を構成し、特許文献（１）の「本立ての自在仕切り」に替わって、本考案の差立て部材の間隔を連結方向に自在に調整する。また、これと共に、差立て部材の筒状の輪の膨らみ幅を差立て物の押圧により自在に調整する。そして、薄物物品類の差立て物を抜き差し自在に且つ倒れ込みを生ずることなく差立てができる構成とする。
そして、これにより、特許文献（１）においての差立てられた薄物物品類と仕切りとの間隔が自動的に調整できるようにする。
そして、特許文献（１）においての差立てする薄物物品類等の厚さに対応して仕切りの間隔をいちいち手で動かして間隔調整をしなければならない面倒な問題を解消することができるようにする。
【０００７】
また、特許文献（２）に記載されたような問題を解消するために、本考案の薄物物品類の差立て具においては、挟着板と囲み材の挟着基体とを分離構成した囲み材の無い状態とする。
そして、図１から図１５に示すように、本考案の薄物物品類の差立て具を構成し、複数の差込みスペースにシート状物の物品類を自在に分類差立てすることができる構成とする。
そして、これにより、特許文献（２）においての挟着板と挟着基体とが固定され一体化されたものになっているために、例えば多数枚の文書類や、多数冊分のファイル類などのシート状物の物品類を分類差立てするための差込みスペースが設けられていないことによる問題を解消することができるようにする。
【課題を解決するための手段】
【０００８】
上述の課題を解決するために本考案においては、シート状物や薄板状物の薄物物品類の差立て具であって、変形可能な弾発力のある薄板材を丸めて断面が略円形または略楕円形の筒状の輪１を形成し、該筒状の輪１の胴体を台座２の面上に少なくても１以上取付けして成る差立て部材１２を構成し、シート状物や薄板状物の薄物物品類の差立て物を抜き差し自在に且つ倒れ込みを生ずることなく差立てができることを特徴とする薄物物品類の差立て具を構成する。
【０００９】
また、シート状物や薄板状物の薄物物品類の差立て具であって、変形可能な弾発力のある薄板材を丸めて断面が略円形または略楕円形の筒状の輪１を形成し、該筒状の輪１の胴体を台座２の面上に少なくても１以上取付けして成る差立て部材１２を構成し、該差立て部材１２を隣合わせに連結する連結手段３を前記台座２に設け、該連結手段３を介して前記差立て部材１２の間隔を連結方向に自在に調整し、これと共に、前記差立て部材１２の筒状の輪１の膨らみ幅を差立て物の押圧により自在に調整し、シート状物や薄板状物の薄物物品類の差立て物を抜き差し自在に且つ倒れ込みが生ずることなく差立てができることを特徴とする薄物物品類の差立て具を構成する。
【００１０】
また、シート状物や薄板状物の薄物物品類の差立て具であって、変形可能な弾発力のある薄板材を丸めて断面が略円形または略楕円形の筒状の輪１を形成し、該筒状の輪１の胴体を台座２の面上に少なくても１以上取付けして成る差立て部材１２を構成し、該差立て部材１２を隣合わせに連設する横並び連設手段３０を前記台座２に設け、該横並び連設手段３０を介して前記差立て部材１２の間隔を横並び連設方向に自在に調整し、これと共に、前記差立て部材１２の筒状の輪１の膨らみ幅を差立て物の押圧により自在に調整し、シート状物や薄板状物の薄物物品類の差立て物を抜き差し自在に且つ倒れ込みが生ずることなく差立てができることを特徴とする薄物物品類の差立て具を構成する。
【００１１】
ここで、請求項２の薄物物品類の差立て具において、前記連結手段３が、台座の板厚内に収まる木製または樹脂製または金属製の連結ピン３ｂと、該連結みピン３ｂと嵌合する嵌め合い孔３ａを台座２の正面端面寄りおよび後面端面寄りの板厚中心部に設け、前記連結ピン３ｂが前記台座２から連結方向に出入可能に設け、前記連結ピン３ｂの前記嵌め合い孔３ａへの嵌入程度を調整可能とし、前記連結ピン３ｂと嵌合する前記嵌め合い孔３ａとの嵌合の接触摩擦力により、ずれを生じないように且つ連結配設の間隔調整および位置の保持ができるものとしたことを特徴とする薄物物品類の差立て具を構成する。
【００１２】
また、請求項３の薄物物品類の差立て具において、前記横並び配設手段３０が、前記台座の下面部の正面端面寄りおよび後面端面寄りの縁部に沿って細長状態で、磁石または粘着両面テープまたは吸盤等の横ずれ押さえ材３０ａを設け、前記横ずれ押さえ材３０ａの着脱可能な固着保持力により、ずれを生じないように且つ横並び配設の間隔調整および位置の保持ができるものとしたことを特徴とする薄物物品類の差立て具を構成する。
【００１３】
また、請求項１乃至５の薄物物品類の差立て具において、前記筒状の輪１の胴体を細長の一箇所支持で台座２に取付けるための取付け手段が、前記台座２の中心部に一条の切込み部２ａを所定の幅と長さで設け、該切込み部２ａに前記筒状の輪１の内周面端部同士を合掌した状態で合わせて圧入嵌め込みすることによって、前記筒状の輪１の内周面同士が尖った楔状断面にまで凹み変形した際に、前記台座２の面上の差込みスペースを最大限大きく確保し、該台座２の面上目一杯の差込み可能とすることができることを特徴とする薄物物品類の差立て具を構成する。
【考案の効果】
【００１４】
特許文献（１）に記載された「本立ての自在仕切り」においては、差立てするシート状物の厚さに対応してレールに添ってスライドする仕切りの間隔をいちいち手で動かして間隔調整をしなければならないので、その間隔調整が面倒であるなどの問題があるものになっている。
これに対して、図１から図１５に示すように、本考案の薄物物品類の差立て具を必要な位置に必要な個数を配設すること、および、これと共に、筒状の輪１の反発復元力により差立てしたシート状物等の厚さに対応した隙間間隔を自動的に調整することの２つの作用により、差立てするシート状物等の厚さに対応して仕切りの間隔をいちいち調整しなければならないことなどの面倒な問題を解消することができる。
そして、これにより、特許文献（１）に記載されたような問題を解消することができる。
【００１５】
また、特許文献（２）に記載された「文書保持器」においては、挟着板と挟着基体とが固定され一体化されたものになっている。
そのため、挟着板と挟着基体との間の差込みスペースは極狭いものになっているので、この差込みスペースに例えば文書類やファイル類などのシート状物の物品類を分類差立てすることはできないことなどの問題があるものになっている。
これに対して、図１から図１５に示すように、本考案の薄物物品類の差立て具を必要な位置に必要な個数を配設すること、および、これと共に、筒状の輪１の反発復元力により差立てしたシート状物等の厚さに対応した隙間間隔を自動的に調整することの２つの作用により、挟着板と挟着基体との間の差込みスペースが極狭いものになっているために、この差込みスペースに例えば文書類やファイル類などのシート状物の物品類を分類差立てすることはできないことなどの問題を解消することができる。
そして、これにより、特許文献（２）に記載されたような問題を解消することができる。
【００１６】
また、本考案の薄物物品類の差立て具は、図２から図８に示すように、連結ピンによる連結手段３を備えた薄物物品類の差立て具、および、図９から図１４に示すように、磁石等による連結手段３０を備えた薄物物品類の差立て具を提供するものとしている。
そして、これらの２種類の薄物物品類の差立て具についてはつぎのような特長があるものとしている。
【００１７】
先ず、図２から図１４に示すように、前記差立て部材１２の間隔を連結方向に自在に調整し、また、これと共に、前記差立て部材１２の筒状の輪１の膨らみ幅を差立て物の押圧により自在に調整することができる２つの作用のもとで、適当な平面上に、適当な横ずれしない据え置き物品を適当な間隔をおいて配設し、その間隔に見合う個数の薄物物品類の差立て具を配設することにより、種々の差し立て物を種々の場所で低コストでの分類差立てを共通して行うことが容易にできる。
そしてこれによって、前記特許文献（１）および（２）においての問題を解消することができる。
【００１８】
また、枠型体や、あるいは箱型体や、あるいは仕切り間の寸法に合わせて、単体で共通性のある本考案の薄物物品類の差立て具を必要な位置に必要な個数を配設することにより、種々の差し立て物を種々の場所で低コストでの分類差立てを共通して行うことが容易にできる。
そして、これにより、例えば従来の本立てや書棚やファイリングキャビネットシート状物差立て具やＣＤの収納容器などに配設することにより、文書類やファイル類やＣＤ類などのシート状物の物品類の分類差立てが低コストで容易に共通してできる。
そしてこれによって、前記特許文献（１）および（２）においての問題を解消することができる。
【００１９】
また、本考案の薄物物品類の差立て具は、筒状の輪１の胴体を台座２に取付け、該台座に配設手段を備えただけの簡単構造で構成しているので、単体で共通性のある本差立て具を１個単位で必要な位置に必要な個数を配設することにより、種々の差し立て物を種々の場所で低コストでの分類差立てを共通して行うことが容易にできる。
また、使用状態に適合した種々のデザインや形状寸法をもつものや、筒状の輪１の種々の弾発力をもつものなどを容易に提供できる。
【００２０】
また、図２から図３に示すように、本考案の薄物物品類の差立て具は、台座２の正面端面寄りおよび後面端面寄りに平行に２個の連結手段３を設けたことにより、本薄物物品類の差立て具の前後、左右、上下のずれに対して、連結みピン３ｂを嵌め合い孔３ａに差し込むだけでそれらのずれを容易に抑止することができる。
また、差立て物の倒れ込み負荷を受ける際に生じるモーメントを連結みピン３ｂの曲げの押さえ力により容易に抑止することができる。
【００２１】
また、図１５に示すように、台座の断面部に示すように、前記台座２に一条の切込み部２ａを所定の幅と長さで設け、該切込み部２ａに前記筒状の輪１の内周面端部同士を合掌した状態で合わせて圧入嵌め込みすることによって、前記筒状の輪１の内周面同士が尖った楔状断面にまで凹み変形した際に、前記台座２の面上の差込みスペースを最大限大きく確保することができる
そしてこれによって、図５および図７に示すように、前記台座２の面上の差込みスペースに目一杯の多数差立てが容易にできる。
そしてこれによって、前記特許文献（２）においての問題を解消することができる。
【００２２】
また、例えば差立て具する帳票類や文書類を１枚または１冊単位の抜き差しが容易にできることを特徴とする薄物物品類の差立て具については、前記筒状の輪１の材質、板厚、板幅、周長を調整して弾発力を調整し、１００μから２００μほどのラミネートフィルムをラミネート加工したもの、またはこれと同等品の樹脂板とした筒状の輪１を構成するものとしている。
そして、差立て具した紙面同士の接触により共摺り上がりを生ずることなく、１枚または１冊単位の抜き差しが容易にできるものとしている。
そして、この薄物物品類の差立て具を必要な場所に筒状の輪１を密着した状態で配設することにより、帳票類や文書類を１枚または１冊単位の差立てが容易にできる。
【００２３】
また、逆に例えば分厚い本や複数冊纏めた分厚いファイルなどを差立てする際には、差立て部材１２の対面部の間隔を広げて配設することにより、これらの分厚い本や複数冊纏めた分厚いファイルなどの差立てが容易にできる。
【考案を実施するための最良の形態】
【００２４】
つぎに、本考案の薄物物品類の差立て具の実施例について、図に基づいて説明する。
本考案の薄物物品類の差立て具においては、先ず、図１に示すように、シート状物や薄板状物の薄物物品類の差立て具であって、変形可能な弾発力のある薄板材を丸めて断面が略円形または略楕円形の筒状の輪１を形成し、該筒状の輪１の胴体を台座２の面上に少なくても１以上取付けして成る差立て部材１２を構成する。
そして、シート状物や薄板状物の薄物物品類の差立て物を抜き差し自在に且つ倒れ込みを生ずることなく差立てができることを特徴とする薄物物品類の差立て具を構成するものとしている。
なお、筒状の輪１の台座２への取付けについては、例えば薄板材を略円形または略楕円形に丸めた端部同士を重ね合わせ、ビスなどで固定するものや、若しくは前記台座２に一条の切込み部２ａを設け、前記筒状の輪１の内周面端部同士を合掌した状態で合わせ、僅かな締め代のもとで圧入嵌め込みをすることによって、その嵌合の結合力により固定するものなどが考えられる。
【００２５】
また、図２から図７に示すように、変形可能な弾発力のある薄板材を丸めて略円形または略楕円形の断面の筒状の輪１を形成し、該筒状の輪１の胴体を台座２の面上に少なくても１以上取付けして成る差立て部材１２を構成する。
そして、該差立て部材１２を隣合わせに連結する連結手段３を前記台座２に設ける。
そして、該連結手段３を介して前記差立て部材１２の間隔を連結方向に自在に調整すると共に、連結した前記差立て部材１２同士の対面部ｓａ、および前記差立て部材１２と向き合う対岸の立面物４の壁面との対面部ｓｂにおいて、前記差立て部材１２の筒状の輪１の膨らみ幅を差立て物の押圧により自在に調整するものとしている。
そして、これにより、シート状物や薄板状物の薄物物品類の差立て物を抜き差し自在に且つ倒れ込みが生ずることなく差立てができることを特徴とする薄物物品類の差立て具を構成するものとしている。
【００２６】
また、図９から図１４に示すように、変形可能な弾発力のある樹脂製の薄板材を丸めて略円形または略楕円形の断面の筒状の輪１を形成し、該筒状の輪１の胴体を台座２の面上に少なくても１以上取付けして成る差立て部材１２を構成する。
そして、該差立て部材１２を隣合わせに連設する横並び連設手段３０を前記台座２に設ける。
そして、該横並び連設手段３０を介して前記差立て部材１２の間隔を横並びの連設方向に自在に調整すると共に、横並び配設した前記差立て部材１２同士の対面部ｓａ、および前記差立て部材１２と向き合う対岸の立面物４の壁面との対面部ｓｂにおいて、前記差立て部材１２の筒状の輪１の膨らみ幅が差立て物の押圧により自在に調整するものとしている。
そして、これにより、シート状物や薄板状物の薄物物品類の差立て物を抜き差し自在に且つ倒れ込みが生ずることなく差立てができることを特徴とする薄物物品類の差立て具を構成するものとしている。
【００２７】
ここで、筒状の輪１は、板厚が０．１ミリから１ミリほどで変形可能な弾発力のある樹脂製の薄板材を丸めて略円形または略楕円形の断面の筒状の輪１を形成したものが好ましい。
そして、弾発力は、例えば帳票類や文書類や冊子類やファイル類などの薄物物品類の差立て用のものにおいては、指先で押さえると“ふにゃっ”と柔らかくしなやかに任意の凹み寸法で断面変形が容易にできるものが好ましい。
そして、例えば図５および７に示すように、差し込んだシート状物５の厚みに押圧されて、筒状の輪１の断面形状が尖った楔状断面にまで凹み変形し、その反発復元力で多数枚のシート状物を一枚単位の厚みで差立てすることができるものが好ましい。
そして、シート状物や薄板状物の薄物物品類の差立て物５を抜き差し自在に且つ倒れ込みを生ずることなく分類差立てすることができるものとしている。
【００２８】
また、筒状の輪１は、例えば差立て具する帳票類や文書類を１枚または１冊単位の抜き差しが容易にできる薄物物品類の差立て具においては、前記筒状の輪１の材質、板厚、板幅、周長を調整して弾発力を調整し、例えば１００μから２００μほどのラミネートフィルムをラミネート加工したもの、またはこれと同等品の樹脂板とした筒状の輪１を構成するものが好ましい。
そして、これにより、該筒状の輪１の膨らみ部が凹み変形する際の柔軟な反発復元力により、摩擦力や接触圧が柔軟に作用するものとしている。
そして、差立て具した紙面同士の接触により共摺り上がりを生ずることなく、１枚または１冊単位の差立て物を抜き差し自在に差立てできるものとしている。
【００２９】
また、台座２は木製または樹脂製または金属製等とし、前記連結配設手段３が、台座２の板厚内に収まる連結ピン３ｂと、該連結ピン３ｂと嵌合する嵌め合い孔３ａを台座２の正面端面寄りおよび後面端面寄りの板厚中心部の設けるものとし、また、前記連結ピン３ｂが前記台座２から連結方向に出入可能に設けるものとしている。
また、前記連結ピン３ｂの前記嵌め合い孔３ａへの嵌入程度を調整可能とし、前記差立て部材１２同士の対面部ｓａ、および前記差立て部材１２と向き合う対岸の立面物４の壁面との対面部ｓｂにおいて、前記連結ピン３ｂと嵌合する前記嵌め合い孔３ａとの適当な嵌合度の接触摩擦力により、ずれを生じないように且つ連結配設の間隔調整および位置の保持ができるものとしていろ。
【００３０】
また、連結配設手段３は、図２から図３に示すように、台座の板厚内に収まる連結ピン３ｂと、該連結ピン３ｂと嵌合する嵌め合い孔３ａを台座２の板厚中心部の設けるものとしている。
そして、嵌め合い孔３ａは、台座２の正面端面寄りおよび後面端面寄りの板厚中心部の設けるものとしている。
そして、この嵌め合い孔３ａと嵌合する連結ピン３ｂの太さや長さは、前記嵌め合い孔３ａへの嵌入程度を調整可能とし、そして少しの手の力で抜き差しの嵌入程度を調整可能とし、前記嵌め合い孔３ａとの嵌合度合いのずれを生じない適当な嵌合度の接触摩擦力により、ずれを生じないように且つ連結配設の間隔調整および位置の保持ができるものとしていろ。
【００３１】
また、連結配設手段３は、図２から図３に示すように、台座２の長い貫通孔の嵌め合い孔３ａとこの貫通孔に嵌合する長い連結ピン３ｂとにより、前記差立て部材１２同士の対面部ｓａおよび前記差立て部材１２と向き合う対岸の立面物４の壁面との対面部ｓｂにおいての差込みスペースの間隔調整が自在に調整できるものとしている。
そして、図５から図７に示すように、枠型体や、あるいは箱型体や、あるいは仕切り間の種々の寸法に合わせて、前記対面部ｓａおよびｓｂの間隔を自在に調整し、本考案の薄物物品類の差立て具を必要位置に配設し、薄物物品類の分類差立てが容易にできるものとしている。
【００３２】
また、横並び配設手段３０は、図９から図１４に示すように、台座の下面部の正面端面寄りおよび後面端面寄りの縁部に沿って、磁石または粘着両面テープまたは吸盤等の横ずれ押さえ材３０ａを設けるものとしている。
そして、枠型体や、あるいは箱型体や、あるいは仕切り間の種々の寸法に合わせて、前記対面部ｓａおよびｓｂの間隔を自在に調整し、本考案の薄物物品類の差立て具を必要位置に配設し、薄物物品類の分類差立てが容易にできるものとしている。
そして、差立て物５を前記差立て部材１２同士間の対面部ｓａおよび前記差立て部材１２と該差立て部材１２と向き合う対岸の立面物の壁面との対面部ｓｂに差立てした際に、横ずれ押さえ材３０ａの着脱可能な固着保持力により、ずれを生じないように且つ配設位置の保持ができるものとしている。
【００３３】
そして、この横ずれ押さえ材３０ａは、台座の下面部の正面端面寄りおよび後面端面寄りの縁部に沿って細長状態で、且つ細長状態により垂直方向には着脱容易であり水平方向には横ずれし難い状態で配設するものとしている。
そして、材質、形状、サイズ等は、一般的な事務用品に用いられているものに準じたものが好ましい。
【００３４】
また、前記筒状の輪１の胴体を細長の一箇所支持で台座２に取付けるための取付け手段は、図１５に示すように、前記台座２に一条の切込み部２ａを所定の幅と長さで設け、該切込み部２ａに前記筒状の輪１の内周面端部同士を合掌した状態で合わせて圧入嵌め込みすることによって、図５，７，１２、１４に示すように、前記筒状の輪１の内周面同士が尖った楔状断面にまで凹み変形した際に、前記台座２の面上の差込みスペースを最大限大きく確保し、該台座２の面上目一杯の差込み可能とすることができるものとしている。
そして、、前記切込み部２ａの切込み幅については、前記筒状の輪１の内周面端部同士を合掌した状態で合わせた厚み寸法より少し狭めた切込み幅寸法で、木ハンマーで叩いて嵌め込みできる程度の僅かな締め代のもとで圧入嵌め込みをすることによって、その嵌合の結合力により固定できるものが好ましい。
また、前記切込み部２ａの切込み長さについては、前記筒状の輪１の胴体の長さ方向の寸法に準じた切込み長さ寸法で、隙間が目立たない程度で差込みできるものが好ましい。
【００３５】
また、本考案の薄物物品類の差立て具においては、図６，７，１３、１４に示すように、配設間隔を自在に調整できる本考案の薄物物品類の差立て具を従来一般的に用いられている箱型体または枠型体の例えばデスクのファイル収納用引き出し、またはファイリングキャビネット、または書棚、またはカルテラック、またはＣＤ収納容器の中に、また、必要な個数を配設することによって、シート状物や薄板状物の薄物物品類の差立て物を抜き差し自在に且つ倒れ込みが生ずることなく分類差立てできるものとしている。
【００３６】
また、本考案の薄物物品類の差立て具においては、図５および図１２に示すように、横ずれしない据え置き物品４同士間、または該据え置き物品４と向き合う壁面と前記据え置き物品４との間に、必要な個数の前記薄物物品類の差立て具を配設することにより、種々の場所でシート状物や薄板状物の薄物物品類の差立て物を抜き差し自在に且つ倒れ込みが生ずることなく差立てができるものとしている。
【００３７】
ここで、机や棚などの平面上で横ずれしない据え置き物品４については、例えば机上や本棚などでいつも使われている本立てやブックエンドなどの外端面や、また、分厚い本などを重ねた重みのある物品類の外端面や、工作物の外端面など種々の外端面が考えられる。
【図面の簡単な説明】
【００３８】
【図１】請求項１の薄物物品類の差立て具の斜視図
【図２】請求項２の薄物物品類の差立て具の斜視図
【図３】請求項２の薄物物品類差立て具の間隔調整の状態を示す断面図
【図４】請求項２の差立て部材１２同士の対面部間に差立て物５を差立てした状態を示す斜視図
【図５】横ずれしない据え置き物品間に請求項２の薄物物品類の差立て具を配設した状態の斜視図
【図６】枠型体間に請求項２の薄物物品類差立て具を配設した状態の斜視図
【図７】箱型体および仕切り間に請求項２の薄物物品類差立て具を配設した状態の斜視図
【図８】請求項２の薄物物品類差立て具に立面板を結合する状態の斜視図
【図９】横ずれしない据え置き物品間に請求項３の薄物物品類の差立て具を配設した状態の斜視図
【図１０】請求項３の薄物物品類差立て具の間隔調整の状態を示す断面図
【図１１】請求項３の差立て部材１２同士の対面部間に差立て物５を差立てした状態を示す斜視図
【図１２】横ずれしない据え置き物品間に請求項３の薄物物品類の差立て具を配設した状態の斜視図
【図１３】枠型体間に請求項３の薄物物品類差立て具を配設した状態の斜視図
【図１４】箱型体および仕切り間に請求項３の薄物物品類差立て具を配設した状態の斜視図
【図１５】筒状の輪１の胴体を台座２の一条の切込み部２ａに取付けした状態の斜視図
【符号の説明】
【００３９】
１  筒状の輪
２  台座
２ａ  台座の一条の切込み部
３  差立て部材１２を連結ピンにより連結する連結手段
３ａ  嵌め合い孔
３ｂ  連結ピン
３ｃ  立面板の嵌め合い孔
４  差立て部材１２同士の対面部間に差立て物５を差立てした状態
４ｂ  枠型体
４ｃ  箱型体
４ｄ  仕切り
５  差立て物
１２  差立て部材
ｓａ１  差立て部材１２同士の対面部において筒状の輪同士が密着接触している状態
ｓａ２  差立て部材１２同士の対面部において筒状の輪同士を小さい間隔で配設する状態
ｓａ３  差立て部材１２同士の対面部において筒状の輪同士を大きい間隔で配設する状態
ｓｂ  差立て部材１２と向き合う対岸の立面物４の壁面との対面部
３０  磁石等による横並び配設の配設手段
３０ａ  台座の下面部の磁石や両面粘着テープ等の横ずれ押さえ材
Ｈ  薄物物品類差立て具を載せる平面
Ｂ１  差立て部材１２同士の対面部において台座同士を小さい間隔で配設する状態
Ｂ１  差立て部材１２同士の対面部において台座同士を大きい間隔で配設する状態
Ｌ１  差立て部材１２と向き合う対岸の立面物同士の間隔
Ｌ２  枠型体の立上り板同士の間隔
Ｌ３  箱型体の立上り板と仕切りとの間隔
ＰＬ  連結ピン３ｂの長さ寸法
【図１】
0003156945.tif 000003
【図２】
0003156945.tif 000004
【図３】
0003156945.tif 000005
【図４】
0003156945.tif 000006
【図５】
0003156945.tif 000007
【図６】
0003156945.tif 000008
【図７】
0003156945.tif 000009
【図８】
0003156945.tif 000010
【図９】
0003156945.tif 000011
【図１０】
0003156945.tif 000012
【図１１】
0003156945.tif 000013
【図１２】
0003156945.tif 000014
【図１３】
0003156945.tif 000015
【図１４】
0003156945.tif 000016
【図１５】
0003156945.tif 000017
【手続補正書】
【提出日】平成21年11月12日(2009.11.12)
【手続補正１】
【補正対象書類名】実用新案登録請求の範囲
【補正対象項目名】全文
【補正方法】変更
【補正の内容】
【実用新案登録請求の範囲】
【請求項１】
シート状物や薄板状物の薄物物品類の差立て具であって、
変形可能な弾発力のある薄板材を丸めて断面が略円形または略楕円形の筒状の輪（１）を形成し、
該筒状の輪（１）の胴体を台座（２）の面上に少なくても1以上取付けして成る差立て部材（１２ａ）を構成し、
シート状物や薄板状物の薄物物品類の差立て物を抜き差し自在に且つ倒れ込みを生ずることなく差立てができることを特徴とする薄物物品類の差立て具。
【請求項２】
シート状物や薄板状物の薄物物品類の差立て具であって、
変形可能な弾発力のある薄板材を丸めて断面が略円形または略楕円形の筒状の輪（１）を形成し、
該筒状の輪（１）の胴体を台座（２）の略中央部面上に少なくても1以上取付けして成る差立て部材（１２）を構成し、
該差立て部材（１２）を隣合わせに連結する連結手段（３）を前記台座（２）に設け、
該連結手段（３）を介して前記差立て部材（１２）の間隔を連結方向に自在に調整し、
これと共に、連結した前記差立て部材（１２）同士の対面部（ｓａ）において、前記差立て部材（１２）の筒状の輪（１）の膨らみ幅を差立て物の押圧により自在に調整し、
シート状物や薄板状物の薄物物品類の差立て物を抜き差し自在に且つ倒れ込みを生ずることなく差立てができることを特徴とする薄物物品類の差立て具。
【請求項３】
シート状物や薄板状物の薄物物品類の差立て具であって、
変形可能な弾発力のある薄板材を丸めて断面が略円形または略楕円形の筒状の輪（１）を形成し、
該筒状の輪（１）の胴体を台座（２）の略中央部面上に少なくても1以上取付けして成る差立て部材（１２）を構成し、
該差立て部材（１２）を隣合わせに連設する横並び連設手段（３０）を前記台座（２）に設け、
該横並び連設手段（３０）を介して前記差立て部材（１２）の間隔を横並び連設方向に自在に調整し、
これと共に、連結した前記差立て部材（１２）同士の対面部（ｓａ）において、前記差立て部材（１２）の筒状の輪（１）の膨らみ幅を差立て物の押圧により自在に調整し、
シート状物や薄板状物の薄物物品類の差立て物を抜き差し自在に且つ倒れ込みを生ずることなく差立てができることを特徴とする薄物物品類の差立て具。
【請求項４】
請求項２の薄物物品類の差立て具において、
前記連結手段（３）が、台座の板厚内に収まる木製または樹脂製または金属製等の連結ピン（３ｂ）と、該連結ピン（３ｂ）と嵌合する嵌め合い孔（３ａ）を台座（２）の正面端面寄りおよび後面端面寄りの板厚中心部に設け、
前記連結ピン（３ｂ）が前記台座（２）から連結方向に出入可能に設け、
前記連結ピン（３ｂ）の前記嵌め合い孔（３ａ）への嵌入程度を調整可能とし、
前記連結ピン（３ｂ）と嵌合する前記嵌め合い孔（３ａ）との両者の接触摩擦力により、ずれを生じないように且つ連結配設の間隔調整および位置の保持ができるものとしたことを特徴とする薄物物品類の差立て具。
【請求項５】
請求項３の薄物物品類の差立て具において、
前記横並び連設手段（３０）が、前記台座の下面部の正面端面寄りおよび後面端面寄りの縁部に沿って細長状態で、磁石または粘着両面テープまたは吸盤等の横ずれ押さえ材（３０ａ）を設け、
前記横ずれ押さえ材（３０ａ）の着脱可能な固着保持力により、ずれを生じないように且つ横並び連設の間隔調整および位置の保持ができるものとしたことを特徴とする薄物物品類の差立て具。
【請求項６】
請求項１乃至５のいずれか１項に記載の薄物物品類の差立て具において、
前記筒状の輪（１）の胴体を細長の一箇所支持で台座（２）に取付けるための取付け手段が、前記台座（２）の中心部に一条の切込み部（２ａ）を所定の幅と長さで設け、
該切込み部（２ａ）に前記筒状の輪（１）の内周面端部同士を合掌した状態で合わせて挟み込むことによって、
前記筒状の輪（１）の内周面同士が尖った楔状断面にまで凹み変形し、前記台座（２）の面上の差込みスペースを最大限大きく確保し、該台座（２）の面上目一杯の差込み可能とすることができることを特徴とする薄物物品類の差立て具。
【手続補正２】
【補正対象書類名】明細書
【補正対象項目名】００１１
【補正方法】変更
【補正の内容】
【００１１】
ここで、請求項２の薄物物品類の差立て具において、
前記連結手段３が、台座の板厚内に収まる木製または樹脂製または金属製の連結ピン３ｂと、該連結ピン３ｂと嵌合する嵌め合い孔３ａを台座２の正面端面寄りおよび後面端面寄りの板厚中心部に設け、
前記連結ピン３ｂが前記台座２から連結方向に出入可能に設け、
前記連結ピン３ｂの前記嵌め合い孔３ａへの嵌入程度を調整可能とし、
前記連結ピン３ｂと嵌合する前記嵌め合い孔３ａとの両者の接触摩擦力により、ずれを生じないように且つ連結配設の間隔調整および位置の保持ができるものとしたことを特徴とする薄物物品類の差立て具を構成する。
【手続補正３】
【補正対象書類名】明細書
【補正対象項目名】００１２
【補正方法】変更
【補正の内容】
【００１２】
また、請求項３の薄物物品類の差立て具において、
前記横並び連設手段３０が、前記台座の下面部の正面端面寄りおよび後面端面寄りの縁部に沿って細長状態で、磁石または粘着両面テープまたは吸盤等の横ずれ押さえ材３０ａを設け、
前記横ずれ押さえ材３０ａの着脱可能な固着保持力により、ずれを生じないように且つ横並び連設の間隔調整および位置の保持ができるものとしたことを特徴とする薄物物品類の差立て具を構成する。
【手続補正４】
【補正対象書類名】明細書
【補正対象項目名】００１３
【補正方法】変更
【補正の内容】
【００１３】
また、請求項１乃至５のいずれか１項に記載の薄物物品類の差立て具において、
前記筒状の輪１の胴体を細長の一箇所支持で台座２に取付けるための取付け手段が、
前記台座２の中心部に一条の切込み部２ａを所定の幅と長さで設け、
該切込み部２ａに前記筒状の輪１の内周面端部同士を合掌した状態で合わせて挟み込むことによって、
前記筒状の輪１の内周面同士が尖った楔状断面にまで凹み変形し、前記台座２の面上の差込みスペースを最大限大きく確保し、該台座２の面上目一杯の差込み可能とすることができることを特徴とする薄物物品類の差立て具を構成する。
【手続補正５】
【補正対象書類名】明細書
【補正対象項目名】００１６
【補正方法】変更
【補正の内容】
【００１６】
また、本考案の薄物物品類の差立て具は、図２から図８に示すように、連結ピンによる連結手段３を備えた薄物物品類の差立て具を基本構成体として構成している薄物物品類の差立て具、および、図９から図１４に示すように、磁石等による連設手段３０を備えた薄物物品類の差立て具を提供するものとしている。
そして、これらの２種類の薄物物品類の差立て具についてはつぎのような特長があるものとしている。
【手続補正６】
【補正対象書類名】明細書
【補正対象項目名】００２０
【補正方法】変更
【補正の内容】
【００２０】
また、第四の特長として、図２から図３に示すように、本考案の薄物物品類の差立て具は、台座２の正面端面寄りおよび後面端面寄りに平行に２個の連結手段３を設けたことにより、
（１）本薄物物品類の差立て具の前後、左右、上下のずれに対して、連結ピン３ｂを嵌め合い孔３ａに差し込むだけでそれらのずれを容易に抑止することができる。
（２）また、差立て物が倒れ込みを生じた際に生じるモーメントを容易に抑止することができる。
【手続補正７】
【補正対象書類名】明細書
【補正対象項目名】００３３
【補正方法】変更
【補正の内容】
【００３３】
また、横並び連設手段３０は、図９から図１４に示すように、台座の下面部の正面端面寄りおよび後面端面寄りの縁部に沿って、磁石または粘着両面テープまたは吸盤等の横ずれ押さえ材３０ａを設けるものとしている。
そして、枠型体や、あるいは箱型体や、あるいは仕切り間の種々の寸法に合わせて、前記対面部ｓａおよびｓｂの間隔を自在に調整し、本発明の薄物物品類の差立て具を必要位置に配設し、薄物物品類の分類差立てが容易にできるものとしている。
そして、差立て物５を前記差立て部材１２同士間の対面部ｓａおよび前記差立て部材１２と該差立て部材１２と向き合う対岸の立面物の壁面との対面部ｓｂに差立てした際に、横ずれ押さえ材３０ａの着脱可能な固着保持力により、ずれを生じないように且つ配設位置の保持ができるものとしている。
【手続補正８】
【補正対象書類名】明細書
【補正対象項目名】００４０
【補正方法】変更
【補正の内容】
【００４０】
１  筒状の輪
２  台座
２ａ  台座の一条の切込み部
３  差立て部材１２を連結ピンにより連結する連結手段
３ａ  嵌め合い孔
３ｂ  連結ピン
３ｃ  立面板の嵌め合い孔
４  差立て部材１２と向き合う対岸の立面物
４ａ  立面板
４ｂ  枠型体
４ｃ  箱型体
４ｄ  仕切り
５  差立て物
１２  差立て部材
ｓａ１  差立て部材１２同士の対面部において筒状の輪同士が密着接触している状態
ｓａ２  差立て部材１２同士の対面部において筒状の輪同士を小さい間隔で配設する状態
ｓａ３  差立て部材１２同士の対面部において筒状の輪同士を大きい間隔で配設する状態
ｓｂ  差立て部材１２と向き合う対岸の立面物４の壁面との対面部
３０  磁石等による横並び連設の連設手段
３０ａ  台座の下面部の磁石や両面粘着テープ等の横ずれ押さえ材
Ｈ  薄物物品類差立て具を載せる平面
Ｂ１  差立て部材１２同士の対面部において台座同士を小さい間隔で配設する状態
Ｂ１  差立て部材１２同士の対面部において台座同士を大きい間隔で配設する状態
Ｌ１  差立て部材１２と向き合う対岸の立面物同士の間隔
Ｌ２  枠型体の立上り板同士の間隔
Ｌ３  箱型体の立上り板と仕切りとの間隔